(57)【要約】本発明は、サポート１６と、該サポート１６に対してフレキシブル回路１２を位置決めする手段１８と、フレキシブル回路１２用の適合手段２０とを備えたフレキシブル回路１２用接続デバイスに関する。本発明は、板ばね２４の弾性作用を強化するために、適合手段２０が、少なくとも１つの湾曲した板ばね２４を含み、該板ばねが、フレキシブル回路１２と表面２８との間に配置された少なくとも１つの湾曲部２６を備えることを特徴とする。
2005531111.tif 000002
【特許請求の範囲】
【請求項１】
サポート（１６）と、該サポート（１６）に対してフレキシブル回路（１２）を位置決めする手段（１８）と、フレキシブル回路（１２）用の適合手段（２０）とを備えた接続デバイスであって、
前記サポートが、開口（４６、９６）の形成されたところに底部（４４、９０）を有し、フレキシブル回路（１２）が、適合手段（２０）と底部（４４、９０）との間に固定され、適合手段（２０）が、少なくとも１つの湾曲ばね条片（２４）を有し、該湾曲ばね条片が、フレキシブル回路（１２）と表面（２８）との間に配置された少なくとも１つの湾曲部（２６）を備えることによって前記条片（２４）の弾性効果を高めることを特徴とする接続デバイス。
【請求項２】
請求項１に記載の接続デバイスにおいて、
サポート（１６）に対してフレキシブル回路（１２）を位置決めする手段（１８）が、差込み方向における接触ゾーンの下流側に突起部（３２）を備え、該突起部が、フレキシブル回路（１２）内に形成された対応する開口（３４）内に収納可能であることを特徴とする接続デバイス。
【請求項３】
請求項２に記載の接続デバイスにおいて、
フレキシブル回路（１２）内に形成された開口（３４）は、長方形の形状を有し、該フレキシブル回路を横方向に完全に固定するとともに縦方向にはわずかな移動を許容するように該フレキシブル回路のコンダクタと平行にギャップのところに配置されることを特徴とする接続デバイス。
【請求項４】
請求項２または３に記載の接続デバイスにおいて、
突起部（３２）が、サポート（１６）上に取り付けられることを特徴とする接続デバイス。
【請求項５】
請求項４に記載の接続デバイスにおいて、
サポート（１６）が前記接触ゾーンと同じ高さの開口（４６）を備え、開口（４６）の縁部が下流側に傾斜面を有し、突起部（３２）がこの面上に取り付けられていることを特徴とする接続デバイス。
【請求項６】
請求項２または３に記載の接続デバイスにおいて、
突起部（３２）が、適合手段（２０）上に取り付けられていることを特徴とする接続デバイス。
【請求項７】
請求項６に記載の接続デバイスにおいて、
適合手段（２０）が、第１組の湾曲弾性条片（２４）と、第１組の条片の間に介在し、端部が前記フレキシブル回路の開口（３４）内に収納可能な突起部（３２）を形成している第２組の条片（８６）とを備えることを特徴とする接続デバイス。
【請求項８】
請求項１〜７のいずれかに記載の接続デバイスにおいて、
サポート（１６）に対してフレキシブル回路（１２）を位置決めするための手段（１８）が、フレキシブル回路（１２）の接触ゾーン（１４）の上流側に配置された部材を備えることを特徴とする接続デバイス。
【請求項９】
請求項８に記載の接続デバイスにおいて、
上流側に配置された位置決め手段（１８）が、フレキシブル回路（１２）内に形成された開口（５４）内に収納可能である、サポート（１６）と一体の突起部（５２）を備えることを特徴とする接続デバイス。
【請求項１０】
請求項１〜９のいずれかに記載の接続デバイスにおいて、
適合手段（２０）が、フレキシブル回路（１２）をサポート（１６）に保持かつ支持し、その目的のためにラチェット止めによってサポート（１６）に接続する手段（６０）を有することを特徴とする接続デバイス。
【請求項１１】
請求項１〜１０のいずれかに記載の接続デバイスにおいて、
接続可能な他の接続デバイスのサポートを位置決めするための手段（２２）を備えることを特徴とする接続デバイス。
【請求項１２】
請求項１１に記載の接続デバイスにおいて、
サポート（１６）が、ほぼ中央の面の両側に相補的な形状を有して２つのサポートの相対的な位置決めを確実にし、２つの同一のサポートが上下に位置決めされることを特徴とする接続デバイス。
【請求項１３】
請求項１２に記載の接続デバイスにおいて、
サポート（１６）が、一方の側には、フレキシブル回路（１２）および適合手段（２０）を受けるリセプタクル（３８）を、また他方の側には、２つのデバイスが上下に接続されされたときに第２サポートのリセプタクル（３８）を受けることができる収納部（７４）を備えていることを特徴とする接続デバイス。
【請求項１４】
請求項１２に記載の接続デバイスにおいて、
サポート（１６）がＵ字形であり、その基部（９０）がフレキシブル回路（１２）および適合手段（２０）を支持し、そのアーム（９２、９４）がサポート間の相対的な位置決めを確実にすることを可能にする相補形状を有することを特徴とする接続デバイス。
【請求項１５】
請求項１２〜１４のいずれかに記載のデバイスにおいて、
サポートは、接続位置に保持するための手段を備えることを特徴とする接続デバイス。
【請求項１６】
請求項１５に記載の接続デバイスにおいて、
サポートは、突起部（８３、１１２）と対応する収納部または開口（８４、１１４）とを備え、第１サポートの前記突起（８３、１１２）は、第２サポートの収納部または開口（８４、１１４）内にラチェット止めされることによって固定されることができることを特徴とする接続デバイス。
【請求項１７】
請求項１１に記載の接続デバイスにおいて、
接続された２つのサポートの位置決め及び保持を確実にする別個の部材（３６）を備えることを特徴とする接続デバイス。
【発明の詳細な説明】
【技術分野】
【０００１】
本発明は、各々が接続デバイスを備えた２つのフレキシブル回路を確実に接続するように構成されたフレキシブル回路用の接続デバイスに関する。
【背景技術】
【０００２】
特許文献１は、各フレキシブル回路の端部に配置されている上記のようなデバイスを記載しており、双方のデバイスともフレキシブル回路間の直接的な接触を確実にするように互いに同じ高さに保持される。
【０００３】
この構成では、各デバイスは、フレキシブル回路を受けることができるヘッドを備えており、前記回路は、ヘッドの両面をカバーするように湾曲され、またヘッドの横縁部の間で横移動しないように固定されている。
【０００４】
２つのフレキシブル回路間の接触圧を強化するため、ヘッドとフレキシブル回路との間に配置された弾性条片の形式の弾性部材が備えられている。
【０００５】
そのために、ヘッドの端部にＵ字形の金属薄板片が嵌め込まれ、該Ｕ字形の金属薄板片は、ヘッドとフレキシブル回路との間に介在するゾーン内で撓むことによって機能する弾性条片の境界を定める切り欠き部を備えている。この実施形態では、サポートとフレキシブル回路との間には、Ｕ字形片のアームだけが位置している。
【０００６】
２つのデバイスは、それらが確実に支持されるように保持部材に差し込まれ、フレキシブル回路は、弾性条片によって互いに平坦となるように押圧される。
【０００７】
この構成は、２つのフレキシブル回路間の中途半端な電気的接触しか達成できず、かつこの接触は時間が経過すると悪化するために、完全に満足できるものではない。
【０００８】
その上、この構成は、２つのフレキシブル回路の最適な位置決めを保証するものではない。何故ならば、これらの回路は単にヘッドの横縁部の間で固定されるに過ぎず、その結果、双方のフレキシブル回路の電気部品を互いに同じ高さに位置決めすることができないからである。
【特許文献１】米国特許第３，０８２，３９８号明細書
【発明の開示】
【発明が解決しようとする課題】
【０００９】
したがって、本発明は、各々が接続デバイスを具備した２つのフレキシブル回路を確実に直接接続するように設計され、時間が経過しても実質的に一定である電気接触の優れた性能を達成し、コンダクタの最適な相対的位置決めを確実にするフレキシブル回路用の接続デバイスを提案することによって、先行技術の欠点を改善することを追及するものである。
【課題を解決するための手段】
【００１０】
上記の目的のため、本発明の対象は、サポートと、該サポートに対してフレキシブル回路を位置決めする手段と、該フレキシブル回路用の適合手段とを備えた接続デバイスであって、適合手段が、少なくとも１つの湾曲ばね条片を有し、該湾曲ばね条片が、フレキシブル回路と表面との間に配置された少なくとも１つの折り返しまたは湾曲部を備えることによって前記条片の弾性効果を高めることを特徴とする接続デバイスである。
【００１１】
この構成によって、時間経過によっても強化されるより大きい接触圧によって、さらに優れた接触品質を得ることが可能になる。
【００１２】
好適には、サポートに対してフレキシブル回路を位置決めする手段は、差込み方向に沿って接触ゾーンの下流側に突起部を備え、該突起部は、フレキシブル回路内に形成された対応する開口内に収納可能である。
【００１３】
この構成は、フレキシブル回路を確実に接触ゾーンに平坦となるように位置決めすることによって接触品質を高めることに貢献する。
【００１４】
有利には、フレキシブル回路内に形成された開口は、長方形の形状を有し、フレキシブル回路を横方向に完全に固定するとともに縦方向にはわずかな移動を許容するようにフレキシブル回路のコンダクタと平行にギャップの近傍に配置される。
【００１５】
第１の変形例では、突起はサポートに接続されている。この場合は、好適な実施形態によれば、サポートは、接触ゾーンに対して直角の開口を備え、開口の縁部は、突起が取り付けられた下流側の傾斜面を有している。
【００１６】
他の変形例では、突起は適合手段に取り付けられている。この場合は、好適な実施形態によれば、適合手段は、第１組の湾曲弾性条片と、第１組の条片の間に介在し、端部がフレキシブル回路の開口内に収納可能な突起部を形成している第２組の条片とを備えている。
【００１７】
フレキシブル回路の位置決めを改善するため、サポートに対するフレキシブル回路の位置決め手段は、フレキシブル回路の接触ゾーンの上流側に配置された部材を備えている。
【００１８】
本発明の他の特徴によれば、デバイスは、接続可能な他の接続デバイス用のサポートを位置決めする手段を備えている。
【００１９】
有利には、サポートは、ほぼ中央の面の両側に相補的な形状を有して２つのサポートの相対的な位置決めを確実にし、２つの同一のサポートは上下に配置されている。
【００２０】
好適な実施形態では、サポートは、一方の側に、フレキシブル回路および適合手段を受けるリセプタクルを、また他方の側に、２つのデバイスが上下に接続されたときに第２サポートのリセプタクルを受けることができる収納部を備えている。
【００２１】
他の実施形態では、サポートはＵ字形であり、その基部はフレキシブル回路および適合手段を支持し、またそのアームはサポート間の相対的な位置決めを確実にすることを可能にする相補形状を有している。
【００２２】
他の変形例では、接続デバイスは、サポートとは別個の部材を備え、この部材によって、接続された２つのサポートが確実に位置決めされて所定位置に保持される。
【００２３】
その他の特徴および利点は、単に例示される下記の説明から、また添付図面を参照することによって明らかになる。
【発明を実施するための最良の形態】
【００２４】
他のフレキシブル回路上に備えられた類似の接続デバイスに接続可能であるフレキシブル回路１２用の、本発明による接続デバイス１０が、図１に概略的かつ簡略に示されている。
【００２５】
公知のように、フレキシブル回路は一般に、互いにほぼ平行に間隔を隔てられた、基板を形成する絶縁部品内に埋設されたコンダクタもしくはトラックを備えている。２つのフレキシブル回路の相互接続を確実にするため、各フレキシブル回路のコンダクタは、電気的な導通状態を可能にするために前記回路の片面の接触ゾーン１４のところで剥き出しにされている。
【００２６】
接続デバイス１０は、サポート１６と、フレキシブル回路１２を前記サポート１６に対して位置決めするための手段１８と、接触ゾーン１４内のフレキシブル回路１２用適合手段２０とを備えている。接続デバイスはさらに、接続可能な他の接続デバイス用のサポートを位置決めするための手段２２をも備えている。
【００２７】
本発明によれば、適合手段２０が、少なくとも１つの湾曲ばね条片２４を有する弾性部材を備え、該湾曲ばね条片が、フレキシブル回路１２と表面２８との間に配置される少なくとも１つの湾曲部２６を備えており、それによって前記条片２４の弾性効果を高め、時間が経過したとしても大きくかつ強い接触圧を得る。本発明によれば、各条片の湾曲部２６から出ている２つのアームが、フレキシブル回路と表面２８との間に配置されている。好適には、フレキシブル回路のコンダクタの数に等しい複数の条片が備えられ、これらは各々前記コンダクタに対して直角に位置している。
【００２８】
最適な接続を確実にするため、高い接触圧を加えるだけではなく、２つのフレキシブル回路を互いに適正に位置決めすることが必要である。このことは、回路１２がフレキシブルであり、接触ゾーン１４内に平坦となるように配置されるというよりはむしろ湾曲し易い場合に特に重要である。
【００２９】
その目的のため、有利には、（差込み方向３０に従って）接触ゾーン１４の上流側と下流側に、フレキシブル回路１２を位置決めする手段１８が配置される。
【００３０】
下流側の位置決め手段１８は、フレキシブル回路１２内に形成された対応する開口３４内に収納可能な突起部３２を備えている。以下に詳細に説明するように、場合によっては、これらの突起部３２は、サポート１６上にまたは適合手段２０上にさえも取り付けることができる。突起部３２の数は、好適にはフレキシブル回路１２のコンダクタ間のギャップの数に等しく、開口３４は各ギャップのところに位置している。
【００３１】
フレキシブル回路位置決め手段を下流側に配置することによって、フレキシブル回路が接触ゾーン内に確実に平坦となるように位置決めされること、ひいては接触状態にされた２つのフレキシブル回路が適正に相互に位置決めされることが可能になる。
【００３２】
これらのフレキシブル回路を互いに適切に位置決めするため、接続された２つのデバイスのサポート１６を相互に確実に位置決めすることも必要である。
【００３３】
本発明によれば、サポート用の相対的位置決め手段２２は、各サポートに適合した形状に構成されている。有利には、サポートの形状は、２つの同一のサポートの接続が可能であるような形状であり、サポートは上下に位置決めされる。
【００３４】
下記により詳細に説明するように、場合によっては、サポートの形状は、２つのデバイスを確実に接続された位置に保持するようにも構成され、または双方のデバイスを接続された位置に保持するための特定の部材３６が備えられる。
【００３５】
第１の変形例が、図２、３Ａ、４、５、６および７によって図示されている。
【００３６】
この実施形態では、図４に示されるように、突起部３２がサポート１６のところに取り付けられ、図６に示されるように、接続されたデバイスを接触状態に保つための特定の部材３６が備えられている。
【００３７】
図４にはサポート１６が詳細に示されている。これは、横壁４０と端壁４２と底部４４とによって境界が定められたリセプタクル３８を備え、該底部のところに開口４６が接触ゾーン１４に対して直角に形成され、フレキシブル回路１２が適合手段２０と底部４４との間に固定される。
【００３８】
フレキシブル回路１２は、横壁４０の間に固定され、各々の横縁部のところにショルダ４８を備え（図２に示されている）、このショルダは、横壁４０の下部に形成されたスロット５０内に固定され、前記横壁に支持されることが可能である。補足的に、位置決め手段１８を補強し、容易な実装を確実にするため、底部４４と一体の突起部５２が備えられ、この突起部をフレキシブル回路内に形成された開口５４内に収納することができる。
【００３９】
この実施形態によれば、フレキシブル回路１２をサポート１６に対して位置決めする手段１８は、開口４６の下流側に底部４４と一体の突起部３２をも備えており、開口４６の縁部は、適合手段２０が嵌め込まれる傾斜面５６を下流側に有している。
【００４０】
フレキシブル回路１２は、コンダクタと平行であるとともにギャップのところに位置する長方形の開口３４を備えており、その各々の内部で突起部３２が移動可能である。この構成によれば、フレキシブル回路１２の下流側の部分は、横移動に対しては完全に固定されるが、適合手段２０の変形に応じて場合によっては縦方向には移動可能である。
【００４１】
図３Ａに示されているように、適合手段２０は金属薄板片の形状を呈しており、その内部には、好適にはコンダクタと等しい数でコンダクタと同じ高さに位置する複数の弾性湾曲条片２４が切り欠かれている。
【００４２】
金属薄板片は、条片の反対側の端部のところには開口５８を備え、その内部にサポートの突起５２を収納可能であり、各横縁部のところには２つのタブ６０が配置され、その各々は、前記適合手段とサポートとをラチェット止めすることによって確実に接続するように、横壁４０のところに形成されたそれぞれの収納部内で固定されている。
【００４３】
この実施形態は図６に示されているように、２つの接続デバイスを接触状態に保つための特定の保持部材３６を備えており、これは２つの接続デバイスを差し込むことができる開口６４と、サポートと保持部材３６との間のスライド接続が得られるように、各サポート１６の横壁４０を受けるために両側に備えられた２つの溝６６とを有している。
【００４４】
この実施形態によれば、湾曲可撓条片の端部は、接触圧を得るために、図１の表面２８の機能を果たす保持部材３６の上壁または下壁６８に支持されることができる。
【００４５】
最後に、サポート１６の横壁４０は、各デバイスの接触ゾーン１４が互いに同じ高さに位置決めされたときに、前記サポート１６を縦移動しないように確実に固定するための適合する形状、すなわち保持部材３６に支持されることができるショルダ７０を有している。
【００４６】
この実施形態は、弾性作用の増大とフレキシブル回路を位置決めする手段との組み合わせによって最適な接触品質を得るだけではなく、実装も大幅に容易になる。
【００４７】
このように、フレキシブル回路１２は、ショルダ４８が横壁４０に支持されるまでサポート１６のスロット５０内に誘導され、またサポートの突起部３２および５２は、フレキシブル回路のそれぞれの開口３４および５４内に誘導される。
【００４８】
フレキシブル回路１２を保持して適合させるため、適合手段２０がサポート１６のリセプタクル３８内に配置され、サポートの突起部５２が開口５８に収納され、タブ６０が各収納部６２内にラチェット止めされることによって固定される。このアセンブリは図５に示されている。
【００４９】
条片２４の湾曲した形状は、特に接触ゾーン１４でフレキシブル回路１２に適合し、フレキシブル回路１２がサポート１６の底部に対してやや突出した位置となるように開口４６から突出する。図７に示されているように、条片２４の端部は、保持部材３６の上壁または下壁に支持され、各デバイスの接触ゾーンが互いに同じ高さに位置する場合に接触圧を確実に高める。
【００５０】
第２の変形例が図２、３Ａ、８Ａ、９Ａ、および９Ｂに示されている。この実施形態によれば、突起部３２は、第１の変形例の場合のようにサポート１６のところに取り付けられており、それによりサポート１６の形状は、上下の位置に接続された２つのサポートの適正な位置決めを保証するだけではなく、前記サポートをその位置に保持することをも保証する。
【００５１】
フレキシブル回路１２および適合手段２０は、好適には第１の変形例のものと同一であり、同一の部材は前述と同様に参照される。
【００５２】
図８Ａに示されているサポート１６は、同一であるとともに同様に構成されている突起部３２、５２、および開口４６を有する第１の変形例と同一のリセプタクル３８を備えている。
【００５３】
図８Ａおよび８Ｂによって示されているように、フレキシブル回路１２および適合手段１８は同様に実装されている。
【００５４】
この変形例によれば、サポート１６は、ほぼリセプタクルの底部４４のところに位置決めされた平面７２の両側に位置する相補的な形状を有しており、その一方の側には、前述のようなリセプタクル３８があり、他方の側には、２つのデバイスが上下に接続されたときに、好適には適合するように第２サポートのリセプタクル３８を受けることができる収納部７４がある。
【００５５】
サポート間の良好な相対的な位置決めを確実にし、これらが相互に挿入されている間のより良好なガイドを確実にするため、横壁４０の外側面の各々は、収納部７４の各横壁のところに形成された溝７８内にスライド可能なリブ７６を有している。
【００５６】
この実施形態によれば、第１サポートの条片２４の端部は、第２サポートの開口４６と反対側の収納部７４の表面８０に支持され、この表面８０は、図１の表面２８の機能を果たす。
【００５７】
デバイスを確実に接続された位置に保持するため、サポート１６は、端壁４２の外表面のところにタブ８２を備えており、このタブは、図９Ｂによって示されるようにその端部に突起部８３を備えており、突起部８３は、収納部７４の底部のところに形成された開口８４内に収納され、かつラチェット止めによって固定されることができる。
【００５８】
この変形例によれば、図９Ａおよび９Ｂに示されているように、同一のサポートが先ず提供され、次に上下に接続される。
【００５９】
第３の変形例が、図２、３Ｂ、１０、１１Ａ、および１１Ｂに示されている。この実施形態によれば、突起部３２は、図３Ｂに示されているように適合手段２０のところに取り付けられ、サポート１６の形状は、上下の位置に接続された２つのサポートの適正な位置決めを保証するためだけではなく、前記サポートをその位置に保持することを保証するようにも形成されている。
【００６０】
フレキシブル回路１２は、前述の変形例と同一の形状を有している。
【００６１】
この実施形態によれば、図３Ｂによって示されている適合手段２０は、前述の変形例の湾曲条片と同じ機能を有する第１組の湾曲条片２４と、端部がフレキシブル回路１２の長方形の開口３４内に収納可能である突起部３２を形成する、前記条片の間に介在する第２組の条片８６とを備えている。好適には、第１条片２４の数は、フレキシブル回路のコンダクタの数に等しく、第２条片８６の数は、コンダクタの間に設けられているギャップの数に等しい。有利には、適合手段２０は、その横縁部のところに、フレキシブル回路１２の形状と重ね合わせることが可能な、両側にショルダ８８を備えた形状を有している。
【００６２】
この変形例によれば、サポート１６はＵ字形であり、その基部９０はフレキシブル回路１２および適合手段２０を位置決めし、またそのアーム９２、９４は接続された２つのサポートの相対的な位置決めとその位置での保持を確実にする相補形状を有している。
【００６３】
基部９０は、フレキシブル回路１２と適合手段２０とを、アーム９２と９４との間に誘導可能にする開口部９６を備えている。この開口９６は、基部９０の外表面のところにスロット９８を設けており、これらのスロットは、フレキシブル回路および適合手段の横縁部を受けることができる。前記スロット９８は、ショルダ４８および８８用のサポートゾーンを形成するため、基部９０の厚み全体を貫いて延在するものではない。
【００６４】
スロット９８は、条片２４の端部がサポートアームの１つに支持され、該サポートアームは、図１の表面２８の機能を果たして、フレキシブル回路１２に弾性作用を加えるように位置しており、この回路は、図１１Ａに示されているように、他の接続デバイスのアームとフレキシブル回路と適合手段とを誘導できるように、第２アームから間隔を隔てられている。
【００６５】
アーム９２および９４の形状は、上下に接続された２つのデバイスが確実に位置決めおよび保持されるように相補形状である。
【００６６】
図１０、１１Ａおよび１１Ｂに示されている好適な実施形態によれば、サポートの役割を果たす第１アーム９２は、中央面に対して対称に前記アームの外表面上に配置された２つのリブ１００を備え、これらのリブは、第２アーム９４内に形成された２つのスロット１０２内に収納可能であり、これらのスロット１０２は、両側の２つのアームの１０４の境界を定めている。有利には、リブ１００は、アーム１０４を保持可能なＬ字形の形状を有している。
【００６７】
これを補足して、アーム１０４の端部を、第１アーム９２の外表面のところに形成された収納部１０６内に差込み可能である。
【００６８】
その上、アーム９２の前端部は、図１１Ａに示されている基部９０内に形成された開口１１０内に収納可能である止め具１０８を有している。
【００６９】
これらの部材１００から１１０は、上下に接続されたサポート間の最適な位置決めを保証することに貢献する。
【００７０】
デバイスを確実に接続された位置に保持するため、アーム９２または９４のうちの１つの外表面上には、突起部１１２が形成され、他方のアームの内表面上には、該突起部１１２をラチェット止めによって収納可能とされる収納部１１４が形成されている。
【００７１】
図１１Ａおよび１１Ｂに示されるように、同一のサポートが互いの内部に相互に収納されて接続ボックスが形成される。
【００７２】
もちろん、本発明は明らかに、上記に図示して説明した実施形態に限定されるものではなく、逆に、同一の形状を有していてもよいし有していなくてもよいサポートの形状だけではなく、特にフレキシブル回路のコンダクタの数や、異なる構成部品のサイズと材料に関する全ての変形例を網羅するものである。
【００７３】
さらに、第１および第２の変形例のサポートの形状は、第３の変形例による適合手段２０に適合されることができる。
【００７４】
最後に、本発明のデバイスは、全ての図面でフレキシブル回路の端部に示されたが、デバイスは、サポートをやや修正すればフレキシブル回路の他のどの位置にも配置できる。
【図面の簡単な説明】
【００７５】
【図１】本発明の接続デバイスの概略的な簡略図である。
【図２】フレキシブル回路の斜視図である。
【図３Ａ】適合手段の第１変形例を示す斜視図である。
【図３Ｂ】適合手段の他の変形例を示す斜視図である。
【図４】本発明の接続デバイス用のサポートの第１変形例を示す斜視図である。
【図５】図４に示したサポートを備えた接続デバイスの斜視図である。
【図６】図５に示した２つのデバイス用の保持部材を示す斜視図である。
【図７】図５に示した２つのデバイス間の接続を示す斜視図である。
【図８Ａ】第２変形例による本発明のデバイスを構成する部材の分解斜視図である。
【図８Ｂ】実装された図８Ａのデバイスの斜視図である。
【図９Ａ】接続準備ができている第２変形例による２つのデバイスの斜視図である。
【図９Ｂ】接続されている第２変形例による２つのデバイスの斜視図である。
【図１０】デバイスの第３の変形例を示した斜視図である。
【図１１Ａ】第３の変形例による接続された２つのデバイスを示す異なる角度での斜視図である。
【図１１Ｂ】第３の変形例による接続された２つのデバイスを示す異なる角度での斜視図である。
【符号の説明】
【００７６】
１２  フレキシブル回路
１４  接触ゾーン
１６  サポート
１８  位置決め手段
２０  適合手段
２２  位置決め手段
２４  湾曲ばね条片、弾性湾曲条片
２６  湾曲部
２８  表面
３２  突起部
３４  開口
３６  部材
３８  リセプタクル
４４  底部
４６、５４、９６  開口
５２  突起部
６０  接続する手段
７４  収納部
８３、１１２  突起部
８４  開口
８６  条片
９０  基部
９２  アーム
９４  アーム
１１４  開口
【図１】
2005531111.tif 000003
【図２】
2005531111.tif 000004
2005531111.tif 000005
2005531111.tif 000006
【図４】
2005531111.tif 000007
【図５】
2005531111.tif 000008
【図６】
2005531111.tif 000009
【図７】
2005531111.tif 000010
2005531111.tif 000011
2005531111.tif 000012
【図１０】
2005531111.tif 000013
2005531111.tif 000014
【国際調査報告】
2005531111.tif 000015
2005531111.tif 000016
2005531111.tif 000017
2005531111.tif 000018
2005531111.tif 000019
2005531111.tif 000020